(57)【要約】【課題】健康維持や抗加齢をめざすエイジングコントロール（以下、ＡＣと称する）に必要な情報は、生体情報だけでなく、生活行動・行為に関する個人のプライベートな生活パターンに関わる情報が必要となる。このような生活に密着している個人情報の開示・取扱は、十分に保護される必要がある。これらの情報の分析処理で、生情報が人目に触れることなく、個人情報保護の観点から問題ない運用を実現するのは難しい。【解決手段】個人の生情報をＡＣのために必要な情報に変換する抽象化尺度や生情報に含まれるＡＣに無関係な個人的情報を抽出して削除する、又は臨場感のある個人情報を間接表現化する抽出機能尺度を設け、情報の開示や取扱のための条件・立場とこれらの尺度を組合せ、個人情報としての開示や取扱の許容レベルを設定し運用し、確実且つ柔軟に個人情報保護を満足することができるデータベースのＡＣ情報支援コンピュータシステム【選択図】図１
2010267234.tif 000002
【特許請求の範囲】
【請求項１】
生体情報、生活行動・行為に関する情報、実践した運動又は採取した栄養に関する情報等の健康維持や抗加齢をめざすエイジングコントロール支援（以下ＡＣと称する）に必要な個人のＡＣ関連情報等を一定の文法ルールに基づく電子データの形式で記載するデータベースであるマイプランに対して、採取されるＡＣ生情報とそのＡＣ生情報を分析・判断し、より抽象化される知見に変換する推論フィルター（数値化、グラフ化、個別の判断尺度・パラメータ、結論等への換算を行うもの）を介しその内容がより抽象化される度合いに関する抽象化尺度を用いて異なる尺度で抽象化される加工情報を積層し、更に場合によっては、採取されるＡＣ生情報等に関して、付随的に採取される不要な情報を排除し必要なＡＣ情報のみを抽出する機能又はＡＣ情報として必要な臨場感の強い画像、音声、行動に関する情報の表現を間接表現化（数値化、画像の画質の一部省略やパターン化、音色の変更、音響・声の波形化、動き等の彩色への変換すること）で臨場感が認知できないものへ変質する機能により、情報採取時に採取されるＡＣ情報と関連のない情報及びその情報の不要な表現法を抽出して取り除く程度を示す抽出機能尺度を用いて、異なる尺度で抽出された加工情報を積層し、これらを組合せ、許容される尺度により、取扱認可規則等に拠らないと取出し、扱うことができないデータベースのＡＣ情報支援コンピュータシステム
【請求項２】
請求項１のＡＣ関連情報に対して、本人認識に関する個人属性情報（個人を特定するような、年齢、性別、住居地、身長、氏名、所属団体等）がどの程度附随しているかに関する個人特定尺度、又は必要性に応じて、個人情報を他人に知られて良いか、知られたくないかの度合いを決めるプライバシー保護に関するプライバシー尺度を追加し、ＡＣ情報に付与し、個人情報の種類による個別対応又は個人の希望に適合する対応が可能な保護レベルを実現できるデータベースのＡＣ情報支援コンピュータシステム
【請求項３】
請求項１，請求項２に対して、当該のＡＣ関連情報等、又はそれらを組合せ一定の評価基準と照合する評価結果を、自動的又は照会の要求により、その情報を利用する目的又はその情報を扱う人（個人自身、近親者、友人、支援者、ＡＣ関連組織のスタッフ、責任者、医者、学者、一般人等）の判別に関する取扱担当尺度を設定し、この規則に従って、マイプランに付与されている各種尺度の組合せからＡＣ関連情報等を扱える場合や人を許可する基準を設定し、システムが認知しないとＡＣ情報を扱えない取扱認可規則を有するデータベースのＡＣ情報支援コンピュータシステム
【請求項４】
請求項３に対して、取扱認可規則に従い、本人、その家族、ＡＣ支援者、関連研究者、医師等の開示や取扱を許可する機能を有するデータベースのＡＣ情報支援コンピュータシステム
【請求項５】
請求項３に対して、抽象化尺度、抽出機能尺度で加工された情報又はそれらの情報から更に評価基準に従い判定する評価結果を加える機能を持つ自動アンサーシステムを設置し、取扱認可規則に従い、予め設定する条件により、対象者に自動アンサーとして、速やかに決められたタイミングで、それらの許容されるレベルの情報を親展扱いで送付することのできるデータベースのＡＣ情報支援コンピュータシステム
【請求項６】
請求項１，請求項２，請求項３，請求項４，請求項５において、採取される個人のＡＣ情報等の生情報が、そのまま他人に見られない状態で又は個人としての情報が秘匿状態に保護されている状態で、送信され、マイプランのデータベースに収納されるデータベースのＡＣ情報支援コンピュータシステム
【請求項７】
請求項１，請求項２，請求項３，請求項４，請求項５，請求項６において、生体情報、生活行動・行為に関する情報又は実践した運動や採取した栄養に関する情報等の健康維持や抗加齢をめざす個人のＡＣ情報の採取に用いる測定装置が、少なくとも、測定条件等の調整等の事前の操作無しに、更に自動的又は測定の開始信号を付与するだけで測定され、情報及び測定装置内で処理された情報を、自動的に無線又は有線で伝達し、又は一定のインターフェイスに接触又は接近させることで伝達し、データベースとして、コンピュータシステムの中に蓄積されるデータベースのＡＣ情報支援コンピュータシステム
【請求項８】
請求項１，請求項２，請求項３，請求項４，請求項５，請求項６，請求項７において、医療行為で用いられるデータである個人医療カルテが法的に認められている秘匿義務等の取り扱いに関する要件を満たし、本人、担当医師又はマイプランでの扱いに本人の了承が得られている専門家の承認により、ＡＣ情報を交換することができるマイプランのデータベースのＡＣ情報支援コンピュータシステム
【発明の詳細な説明】
【技術分野】
【０００１】マイプラン（５）は、生体情報、生活行動・行為に関する情報又は実践した運動や採取した栄養に関する情報等の健康維持や抗加齢をめざすエイジングコントロール（以下ＡＣと称する）に必要な個人のＡＣ情報（１）等を一定の文法ルールに基づく電子データの形式で記載するデータベースである。このデータベースの取り扱いに関するセキュリティ技術分野における発明である。
【背景技術】
【０００２】すなわち、データベースにおける個人情報の保護と一定の保護の下でそれらのデータをどのように有効なものとして利活用できる可能性とが求められる。ここで扱うＡＣ関連の個人のデータベースは、個人情報としてその人の人間性の根幹にかかわるものであり、十分に保護されるものであると同時に、人類の寿命や老化にかかわる利活用すべき重要なものでもある。一般に、それらの両立は難しく、データベースの扱いが両極側によってしまう場合が多い。【０００３】現在の高齢化社会では、個人への抗加齢の重要な情報を知りたいとする本人からの要求が強く、これを前提に採取される場合が多い。また、学問的な追及に用いられる場合は、厳しく倫理委員会等で管理されている。従って、それらのＡＣ情報の科学的根拠に基づくより詳細な情報への要求に対しては、その分人手を介することになり、学問的な追及と同様な十分なる合意を必要とする。すなわち、ＡＣ関連のサービスを対象となる個人に対してより適切に、またより詳細にＡＣ情報を提供する場合は、ＡＣ生情報やそれに近い尺度の状態の情報への専門スタッフや専門家による分析、判断、評価が必要となる。この場合誰がどの程度これらの情報にアプローチできるかは、それに関する類似の規則があっても人系での判断作業であり、データベースのシステムの中で間違いなく行われる方策が採られていない。【０００４】また、多面的な判断基準に基づく複合的な区分はされていない。この情報保護に関する相反性の根本的解決が求められる。
【発明の概要】
【発明が解決しようとする課題】
【０００５】健康維持や抗加齢をめざすエイジングコントロールに必要な情報は、生体情報だけでなく、生活行動・行為に関する個人のプライベートな生活パターンに関わる情報が必要となる。更に、これらの情報は連続的に又は定期的に採取することが求められる。
このような生活に密着している個人情報の開示・取扱は、十分に保護される必要がある。
これらの情報の分析処理で、生情報が人目に触れることなく、個人情報保護の観点から問題ない運用を実現するのは難しい。ここでは、ＡＣに関するデータベースであるマイプランにおいて、個人へのＡＣ評価の情報をしっかりと伝える機能及び健康や抗加齢に必要なＡＣ情報への利活用の情報保護に関する相反性を解消することが課題である。【０００６】今までは、採取された生ＡＣ情報自身の保護レベルが判断され、その開示に制限をどのように加えるかを決めるシステムである。そのようなシステムでは、計画性を持って採取されたデータが個別に検討され、部分的に利活用が不可なものとなると、総合的情報として歯抜け状態になってしまう。この状態を回避することが課題である。【０００７】採取される本人は、できるだけＡＣ生情報（１）を知ることと同時にその値に対する基本的な評価をすぐに知りたいと考えるが、同時にあまり他人に詳細な自分の詳細の情報を知られることに対する抵抗感がある。これをいかに取り除くかが課題である。【０００８】すなわち、本来での個人ＡＣ情報の保護は、採取されたＡＣ生情報（１）自身の使用の可否の関門があり、それにより生情報とそれに付随する個人属性情報（例えば、個人を特定するような、年齢、性別、住居地、身長、氏名、所属団体等）への扱いに関して、（例えば倫理委員会等の承認下で）個人の特定等をできない状態の情報に特定され、初めて使用が許可される。情報の柔軟な利活用、すなわち個人の生活パターン情報等はかなり制限される。それにもかかわらず、これらの利活用に当たっては、中間的にデータ処理する段階では、ほとんど何らかの方策で人手を介する処理が行われており、関連する人は秘匿義務があるが、個人情報自身はその分だけプライベートは侵害されている。【０００９】採取される生活パターン情報のうち、ＡＣ評価に直接関係のない個人的な情報も同時に記録せざるを得ない場合、必要とする情報のみがデータベースとして使用され、それ以外の情報は分離され、保護又は抹消されることが求められている点も課題である。
【課題を解決するための手段】
【００１０】上述のこれらの課題の前提条件として、これらの情報の採取は、自動的、個人自身の操作、又は病院の検査のような一定の情報保護が定着しているシステムで行われるべきである。その上で、課題の解決には、原則として、その後の情報処理に極力人手を介さず自動的に行うシステムを構築することを前提とする。【００１１】ここでは、ＡＣに関するバイタルデータや生活パターンに関する生ＡＣ情報（１）を、本人認識に関する個人属性情報（例えば、個人を特定するような、年齢、性別、住居地、身長、氏名、所属団体等）がどの程度附随しているかに関する個人特定尺度（１０）、人手を介さない自動的に分析・判断する推論フィルター（数値化、グラフ化、個別の判断尺度・パラメータ等への換算等）で処理することで、その内容が必要とされるＡＣ評価項目に近づくように抽象化の処置（図３、図７）を施し、その抽象化の度合いに関する抽象化尺度（１１）、更に個人情報を他人に知られたくないプライバシー保護（図４、図９）に関するプライバシー尺度（１２）、また採取されるＡＣ生情報等に関して、付随的に採取される不要な情報を排除し必要なＡＣ情報のみを抽出する機能又はＡＣ情報として必要な臨場感の強い画像、音声、行動に関する情報の表現を間接表現化（数値化、画像のパターン化、音色の変更、音響・声の波形化、動き等の彩色への変換等）することで臨場感が認知できないものへ変質する機能（図４、図８）により、情報採取時にＡＣ情報と関連のない情報を取り除いて記録する抽出機能尺度（１３）等を組合せて、ＡＣ生情報又は処理を施されたＡＣ情報にこれらの尺度を付随させ、階層状に分類する。【００１２】また、推論フィルターによる抽象化尺度（１１）及び抽出機能尺度（１３）は、対象となる情報の測定装置側に設置し、又はＡＣ情報センター等の情報中継部（３）に設置し、又はマイプラン（５）のデータベース側サーバーコンピュータ（２）に設置して、情報の処理を行っても良い。最終的には、これらの尺度が付与された形で情報が積層状に蓄積される。【００１３】これらの尺度によって区分されるＡＣ情報を利用する目的又はその情報を扱うことを認許する人の等級を決める取扱担当尺度（１６）を設定する。上述の複数の尺度の組合せからＡＣ情報を扱える場合を設定する規則をあらかじめ設定し、システムが認知しないとＡＣ情報を扱えない取扱認可規則（１５）を有するシステムにより、ＡＣ生情報に近い状態は、より高度の個人情報の保護を行い、情報の抽象化が進むにつれて、情報の利活用（開示、取扱等）への制限を緩める方策とし、課題となる相反性を解消する手段を提案する。（例えば、図３）【００１４】個人情報の保護のため、上述の個人特定尺度（１０）、推論フィルターによる抽象化尺度（１１）、プライバシー尺度（１２）、必要なＡＣ情報のみに変換したり切り出す抽出機能尺度（１３）及び取扱担当尺度（１５）による実際にＡＣ情報を扱う人のげんてい資格を組合せて、取扱認可規則（１５）を設定し、ＡＣ情報を効率的に利活用するための個人情報保護を柔軟に運営する。また、各個人の考え方に即して、取扱認可規則を適合させることができる。（図５）
【発明の効果】
【００１５】上述のように、ＡＣ情報の採取は、自動的、個人自身の操作、又は病院の検査のような一定の情報保護が定着しているシステムで行われるべきである。その上で、課題の解決には、原則として、その後の情報処理に極力人手を介さず自動的に行うシステムを構築することを前提とする。【００１６】本発明では、マイプランの趣旨の通り、通常の個人自身への通知、緊急時の医療機関へのデータ提示、本人の心配事へのアドバイスに参照するデータヘのアプローチでは、その対象の個人の氏名、仮名、連絡符号等による個人のある程度の特定が必要となる。従って、扱う人の立場（個人自身、近親者、友人、支援者、ＡＣ関連組織のスタッフ、責任者、医者、学者、一般人等）によって、ＡＣ情報を扱うことを許可する判断が必要となる。そのため、ＡＣ生情報ではなく、上述の情報の推論フィルター（図２）等による抽象化尺度（１１）、個人特定尺度（１０）、プライバシー尺度（１２）、必要なＡＣ情報のみとする抽出機能尺度の処置がなされているＡＣ情報を取扱担当尺度（１６）に適合するレベルを設定し積層状にＡＣ情報を分類し、ＡＣ情報を扱える人を特定するシステムとすることで、支援のための多目的、多機能的で、即対応性の高い扱いが可能となる効果が期待できる。従って、ＡＣ情報の利活用が個人情報の保護と両立して闊達となる効果が期待できる。（図６）【００１７】また、対象とする個人が、本人が納得する方式に個人情報保護のシステムを適合させることで、個人生活のＡＣ生情報採取に合意しやすくする。更に、これらのＡＣ情報が、適切な情報への個人情報保護の処置がなされ、医師や研究者へ提供されることへの同意を個人の希望する色々なレベルで契約することが可能となる。
【図面の簡単な説明】
【００１８】
【図１】エイジングコントロール関連情報・マイプランの個人情報保護システムのフローチャートの事例
【図２】エイジングコントロール関連情報・マイプランの個人情報保護システム図の事例
【図３】ＡＣ関連情報の推論フィルターによる抽象化尺度に関するレベル設定の事例
【図４】プライベート尺度、抽出機能尺度に関するレベル設定の事例
【図５】各種尺度に関するレベル設定による取扱認可規則の事例１
【図６】各種尺度に関するレベル設定による取扱認可規則の事例２
【図７】抽象化尺度に関するレベル設定の別事例
【図８】抽出機能尺度に関するレベル設定の別事例
【図９】プライベート尺度に関するレベル設定の別事例
【発明を実施するための形態】
【００１９】図１に示すように、マイプランは、生体情報、生活行動・行為に関する情報又は実践した運動や採取した栄養に関する情報等の健康維持や抗加齢をめざすエイジングコントロール（以下ＡＣと称する）に必要な個人のＡＣ情報等を、できるだけ自動的に採取し、その測定結果を自動的に速やかに有線又は無線の通信機能等を用いてＡＣ情報をサーバーコンピュータに保管し、一定の文法ルールに基づく電子データの形式で記録される。これらのＡＣ情報の測定装置は、できる限り人手を介さずマイプランに記載する方が、より対象者の生活や身体の状態に関する詳細なＡＣ情報を、個人情報保護の観点を満足して安全に構築することができる。
【００２０】さらに、これらのＡＣ情報は、上述の抽象化尺度（１１）、個人特定尺度（１０）、プライバシー尺度（１２）、抽出機能尺度（１３）等により適宜階層化され、ＡＣ情報を利活用する際に、取扱担当規則（１６）に照らし合わせ、取扱認可規則（１５）を適切に且つ簡単に構築することができる。個人個人で異なる個人情報保護への考え方にも柔軟に対応できる。更に、対象者本人には、速やかに、ＡＣ情報の評価結果を自動的に伝達することが可能である。
【実施例】
【００２１】健康維持や抗加齢をめざすエイジングコントロールを目的として、会員を募り、ユビキタス（いつでも、どこでも、何でも、誰でも）型測定装置で、会員個人の生体情報、生活行動・行為に関する情報又は実践した運動や採取した栄養に関する情報等を測定し、一定のデータ処理を行い、測定装置に備えている無線通信システムで携帯電話にＡＣ情報を転送する。更に、携帯電話に蓄えられたＡＣ情報は、適宜電話回線を介して、マイプランの記録、処理を行っているサーバーコンピュータに伝達される。（図２）【００２２】マイプランに送られたＡＣ情報は、上述の抽象化尺度（１１）、個人特定尺度（１０）、プライバシー尺度（１２）、抽出機能尺度（１３）等により適宜階層化される。これらの評価情報は、個人本人の認識を喚起するために、自動アンサーシステム（４）で本人に伝達されるとともに、このマイプラン（５）を用いるエイジングコントロールの支援システムで、その抽象化尺度、個人特定尺度、プライバシー尺度、抽出機能尺度等に従い、取扱担当尺度に照らし合わせ、支援者者にも取扱認可規則（１５）を適切に適合して利活用が可能である。個人情報保護に関する契約は個人の希望も取り入れることができ柔軟に対応できる。【００２３】このような支援システムを構成するマイプランを用いることで、会員は安心して、自らの身体や生活パターンのＡＣ情報を常時取得、認識することで、容易にＡＣが可能となる。
【産業上の利用可能性】
【００２４】現在では、高齢化社会が進んでおり、高齢者の健康・抗加齢への意識は高く、高い経費をかけても取り入れたいとする傾向が強い。しかし、押しつけ型の抗加齢対応の製品やシステムは、極部的な近視眼的な効果しか保障しないものが多く、万人向けの効用の宣伝が多い。本発明によるマイプランでは、常に、総合的なＡＣ情報に基づく、リアルタイムのＡＣ評価が可能であり、その効果がわかりやすい。【００２５】一般には、同様な支援システムでは、個人情報の扱いに難点がある場合が多く、扱う情報が個人的なプライバシーに深くかかわるものが多い分だけその利用に慎重とならざるを得ない。このマイプランは、自動的な電子情報の扱いを中心にしているため、人手がかからず、人件費がかからず、ビジネスとしての採算の点でも有利である。
【符号の説明】
【００２６】１  測定装置、センサー等
２  （サーバー）コンピュータ等
３  情報中継局、ＡＣ情報センター等
４  自動アンサー（情報処理ソフトウェア）類
５  マイプラン、データベース
６  個人情報保護尺度設定ソフトウェア類
７  情報開示基準ソフトウェア類
８  通信回線（無線、有線）
９  ＡＣ情報の開示、取扱の許可
１０  個人特定尺度ソフトウェア類
１１  抽象化尺度ソフトウェア類
１２  プライバシー尺度ソフトウェア類
１３  抽出機能尺度ソフトウェア類
１４  情報内容の変質、変換ソフトウェア類
１５  取扱認可規則ソフトウェア類
１６  取扱担当尺度ソフトウェア類
【図１】
2010267234.tif 000003
【図２】
2010267234.tif 000004
【図３】
2010267234.tif 000005
【図４】
2010267234.tif 000006
【図５】
2010267234.tif 000007
【図６】
2010267234.tif 000008
【図７】
2010267234.tif 000009
【図８】
2010267234.tif 000010
【図９】
2010267234.tif 000011